(57)【要約】【課題】  顧客のランクと在庫数に応じて公開する在庫数を制御する技術を提供する。【解決手段】  顧客ランク付け処理部２０６が、販売実績ＤＢ２０２に格納された商品の販売実績及び返品実績ＤＢ２０１に格納された返品実績の少なくとも一方に基づいて顧客の在庫公開ランクを決定し、在庫公開数判定処理部２１４が、商品別顧客ランク別公開数管理マスタ２１２に格納された商品の公開数と、商品在庫ＤＢ２０８に格納された商品の現実の在庫数である第１の在庫数とから顧客へ公開する商品の在庫数である第２の在庫数を決定する。【選択図】  図２
2005316686.tif 000002
【特許請求の範囲】
【請求項１】
物の販売実績及び返品実績の少なくとも一方に基づいて顧客の在庫公開ランクを決定するランク決定手段と、
前記顧客の在庫公開ランクと物の現実の在庫数である第１の在庫数とから顧客へ公開する物の在庫数である第２の在庫数を決定する公開在庫数決定手段とを備える公開在庫数決定サーバ。
【請求項２】
前記ランク決定手段は、
前記販売実績及び前記返品実績の少なくともいずれか一方に重み付けを行う請求項１記載の公開在庫数決定サーバ。
【請求項３】
前記ランク決定手段は、
任意に設定された在庫公開ランクの数と、任意に設定された該在庫公開ランクに該当する顧客の範囲とに基づいて、前記在庫公開ランクを決定する請求項１記載の公開在庫数決定サーバ。
【請求項４】
コンピュータを、
物の販売実績及び返品実績の少なくとも一方に基づいて顧客の在庫公開ランクを決定するランク決定手段、及び、
前記顧客の在庫公開ランクと物の現実の在庫数である第１の在庫数とから顧客へ公開する物の在庫数である第２の在庫数を決定する公開在庫数決定手段として機能させる公開在庫数決定プログラム。
【請求項５】
前記ランク決定手段は、
前記販売実績及び前記返品実績の少なくともいずれか一方に重み付けを行う請求項４記載の公開在庫数決定プログラム。
【発明の詳細な説明】
【技術分野】
【０００１】
本発明は、在庫数を公開する技術に関する。
【背景技術】
【０００２】
近年、在庫を公開し、オンラインで商品を販売する方式が知られている。このような方式の場合、販売側は顧客にありのままの在庫数を公開したくないことがある。なぜなら、市況によって価格が変動する商品を扱う場合、在庫が過剰に存在する事が顧客に知られると、価格交渉時に販売側が不利になってしまうからである。逆に、品薄になった場合には、重要顧客用に在庫を確保するために、一般顧客が購入できないように在庫数を非公開にしたいからである。
【０００３】
例えば、従来の情報を公開するシステムとして、基幹業務用データベースが別に顧客用データベースを設けることによって、機密保持を達成しつつ、一部の情報を顧客に開示するシステムがある（例えば、特許文献１参照）。このシステムは、公開される在庫数量として、実際の在庫数量に担当者が入力した調整数量を加算したものとする。
【特許文献１】特開２００２−９９７９３号公報
【発明の開示】
【発明が解決しようとする課題】
【０００４】
顧客、商品毎に公開する在庫数の上限値と下限値を設定するマスタを用意することにより、公開する在庫数を管理することは可能である。しかし、顧客・商品毎に公開する在庫数をマスタに設定し、維持管理することは非常に煩雑な作業である。
本発明の目的は、顧客のランクと在庫数に応じて公開する在庫数を制御する技術を提供することにある。
【課題を解決するための手段】
【０００５】
本発明の公開在庫数決定サーバは、
物の販売実績及び返品実績の少なくとも一方に基づいて顧客の在庫公開ランクを決定するランク決定手段と、
前記顧客の在庫公開ランクと物の現実の在庫数である第１の在庫数とから顧客へ公開する物の在庫数である第２の在庫数を決定する公開在庫数決定手段とを備える。
【０００６】
また、本発明の公開在庫数決定サーバは、
前記ランク決定手段が、
前記販売実績及び前記返品実績の少なくともいずれか一方に重み付けを行う。
【０００７】
また、本発明の公開在庫数決定サーバは、
前記ランク決定手段が、
任意に設定された在庫公開ランクの数と、任意に設定された該在庫公開ランクに該当する顧客の範囲とに基づいて、前記在庫公開ランクを決定する。
【０００８】
また、本発明の公開在庫数決定プログラムは、
コンピュータを、
物の販売実績及び返品実績の少なくとも一方に基づいて顧客の在庫公開ランクを決定するランク決定手段、及び、
前記顧客の在庫公開ランクと物の現実の在庫数である第１の在庫数とから顧客へ公開する物の在庫数である第２の在庫数を決定する公開在庫数決定手段として機能させる。
【０００９】
また、本発明の公開在庫数決定プログラムは、
前記ランク決定手段が、
前記販売実績及び前記返品実績の少なくともいずれか一方に重み付けを行う。
【発明の効果】
【００１０】
本発明では、物の販売実績及び返品実績の少なくとも一方に基づいて顧客の在庫公開ランクを決定し、顧客の在庫公開ランクと物の現実の在庫数である第１の在庫数とから顧客へ公開する物の在庫数である第２の在庫数を決定することにより、顧客のランクと在庫数に応じて公開する在庫数を制御することができる。
【００１１】
また、本発明では、販売実績及び返品実績の少なくともいずれか一方に重み付けを行うことにより、販売実績及び返品実績の重要度を変更することができる。
また、本発明では、任意に設定された在庫公開ランクの数と、任意に設定された在庫公開ランクに該当する顧客の範囲とに基づいて、在庫公開ランクを決定しているため、在庫公開ランクの設定を柔軟に行うことができる。
【００１２】
また、本発明では、顧客の在庫公開ランクに基づいて、顧客に公開する在庫数の上限値及び下限値を取得し、第１の在庫数が、顧客に公開する在庫数の上限値以上である場合は、上限値を顧客に公開する第２の在庫数とし、第１の在庫数が、顧客に公開する在庫数の上限値未満であり、かつ、顧客に公開する在庫数の下限値より多い場合は、第１の在庫数を第２の在庫数とし、第１の在庫数が、顧客に公開する在庫数の下限値以下である場合は、予定在庫を処理対象とするか否かを判定し、予定在庫を処理対象としない場合は、第２の在庫数を０とし、予定在庫を処理対象とする場合は、第１の在庫数に、物の入庫予定数と物の仕上がり予定数とを加え、加えた数が、顧客に公開する在庫数の下限値以上であるか否かを判断し、下限値以上である場合は、第１の在庫数を第２の在庫数とし、下限値未満である場合は、第２の在庫数を０とすることにより、公開する在庫数を顧客の在庫公開ランクに応じて設定された上限値と下限値に基づいて決定することができる。
【００１３】
また、本発明では、顧客の在庫公開ランクと第１の在庫数とから決定された、顧客に公開する在庫数の上限値及び下限値の少なくとも一方に、季節に応じた重み付けを行うことにより、季節に応じて公開する在庫数を調整することができる。
【発明を実施するための最良の形態】
【００１４】
以下、図面を参照して本発明を実施するための最良の形態について説明する。以下の実施の形態の構成は例示であり、本発明は実施の形態の構成に限定されない。
＜公開在庫数決定システムの構成＞
図１に、本発明に係る公開在庫数決定サーバの一実施形態を用いた公開在庫数決定システムの概略図を示す。図１に示される公開在庫数決定システムは、顧客が在庫を検索するために用いるクライアント１０１と公開在庫数決定サーバ１０２とがネットワーク１０３により接続されている。
【００１５】
図１に示されるシステムにおいて、クライアント１０１はパソコン（ＰＣ）である。しかし、本発明の公開在庫数決定サーバに接続されるクライアントとしてはＰＣに限らず、携帯電話やＰＤＡなど、その他の任意の情報端末を用いることができる。また、クライアントの数は、図１に示されるように１台に限定されるものではなく、１台以上の任意の数であってよい。
【００１６】
＜公開在庫数決定サーバの構成＞
次に、図１に示される公開在庫数決定サーバの構成について、図２から図１４を参照し
て説明する。図２は、図１に示される公開在庫数決定サーバの構成の概念図であり、図３から図１４は、図１に示される公開在庫数決定サーバが備えるデータベースに格納されるテーブルの概念図である。
【００１７】
図２に示されるように、公開在庫数決定サーバ１０２は、返品実績データベース（以下、単にＤＢと記す。）２０１と、販売実績ＤＢ２０２と、顧客マスタ２０３と、重み付けマスタ２０４と、在庫公開ランク管理マスタ２０５と、顧客ランク付け処理部２０６とを備える。
【００１８】
さらに、公開在庫数決定サーバ１０２は、顧客毎在庫公開ランクマスタ２０７と、商品在庫ＤＢ２０８と、生産計画ＤＢ２０９と、入庫予定ＤＢ２１０と、季節重み付けマスタ２１１と、商品別顧客ランク別公開数管理マスタ２１２と、予定在庫判定マスタ２１３と、在庫公開数判定処理部２１４とを備える。また、在庫公開数判定処理部２１４からのデータは、それぞれ顧客である商事Ａ，商事Ｂ，商事Ｃが使用するクライアント２１５，２１６，２１７に出力される。
【００１９】
なお、図２に示される各データベースは、公開在庫数決定サーバ１０２が備える記憶装置や公開在庫数決定サーバと接続されたデータベースサーバにより実現されるとして良い。また、図２に示される顧客ランク付け処理部２０６と在庫公開数判定処理部２１４とは、例えば公開在庫数決定サーバのＣＰＵがメモリなどに格納されたプログラムと協働することによりその機能が実現される。
【００２０】
返品在庫実績ＤＢ２０１には、例えば図３に示されるように、商品コード、顧客コード、返品実績が項目として格納されている。この返品実績は、例えば過去の所定の期間の返品個数の総数である。ただし、この返品実績として、例えば過去の所定の期間の返品金額の総額としても良い。販売実績ＤＢ２０２には、例えば図４に示されるように、商品コード、顧客コード、販売実績が項目として格納されている。この販売実績は、例えば過去の所定の期間の販売個数の総数である。ただし、この販売実績として、例えば過去の所定の期間の販売金額の総額としても良い。
【００２１】
顧客マスタ２０３には、例えば図５に示されるように、顧客コードと顧客名とが項目として格納されている。重み付けマスタ２０４には、例えば図６に示されるように、販売実績、返品実績ごとに、重みが設定されている。在庫公開ランク管理マスタ２０５には、例えば図７に示されるように、在庫公開ランクに獲得ポイント上位比率が設定されている。獲得ポイント上位比率とは、顧客が獲得した販売実績ポイントと返品実績ポイントとの和が、他の顧客の販売実績ポイントと返品実績ポイントとの和のうちの上位何％に入っているかを示す比率である。なお、本発明では、図７に示される在庫公開ランクの数は、任意に設定可能である。すなわち、例えば、公開在庫数決定システムの管理者が、公開在庫ランクの数として所望の値を選択することができる。また、本発明では、設定された在庫公開ランクの比率も、任意に設定が可能である。すなわち、例えば、公開在庫数決定システムの管理者が、公開在庫ランクに対応する比率として所望の値を選択することができる。
【００２２】
顧客毎在庫公開ランクマスタ２０７には、例えば図８に示されるうように、顧客コードに対して在庫公開ランクが設定されている。商品在庫ＤＢ２０８には、例えば図９に示されるように、倉庫コードと、商品コードと、在庫数とが項目として設定されている。
【００２３】
生産計画ＤＢ２０９には、例えば図１０に示されるように、生産計画Ｎｏと、倉庫コードと、仕上予定年月日と、商品コードと、数量とが設定されている。入庫予定ＤＢ２１０には、例えば図１１に示されるように、入庫予定Ｎｏと、倉庫コードと、入庫予定年月日と、商品コードと、数量とが設定されている。
【００２４】
季節重み付けマスタ２１１には、例えば図１２に示されるように、対象月毎に、下限に対する重みと、上限に対する重みとが設定されている。これらの重みは、後述する公開上限値又は公開下限値に掛け合わされる。図１２に示される例では、例えば１月の下限の重みが０．５となっており、１月の下限値を小さくする設定となっている。また、図１２に示される例では、例えば７月の下限の重みが２．０となっており、７月の上限値を大きくする設定となっている。
【００２５】
商品別顧客ランク別公開数管理マスタ２１２には、例えば図１３に示されるように、顧客ランクと、商品コードと、顧客に公開する在庫の下限値を示す公開下限値と、顧客に示す在庫の上限値を示す公開上限値とが設定されている。なお、図１３において、＊は上限値なしを示す。予定在庫判定マスタ２１３には、例えば図１４に示されるように、顧客コードと、商品コードと、判定フラグとが格納されている。判定フラグとは、予定在庫を判定の対象とするか否かを示すフラグであり、１であれば予定在庫を判定の対象とし、０であれば予定在庫を判定の対象としない。
【００２６】
＜顧客ランク付け処理部２０６の動作＞
次に、図２に示される顧客ランク付け処理部２０６の動作について図１５を参照して説明する。図１５は、図２に示される顧客ランク付け処理部の動作のフローチャートである。
【００２７】
顧客ランク付け処理部２０６は、まず、販売実績を顧客毎に求める（Ｓ１５０１）。次に、顧客ランク付け処理部２０６は、販売実績に、販売実績に対する重み付け（図６）を掛け、顧客毎の販売実績ポイントを求める（Ｓ１５０２）。なお、本発明では、販売実績に重み付けを掛けないとしても良い。また、以下の処理において、販売実績の代わりに、全販売実績に対する当該顧客の販売実績の比率を用いるとしても良い。
【００２８】
次に、顧客ランク付け処理部２０６は、返品実績を顧客毎に求める（Ｓ１５０３）。次に、顧客ランク付け処理部２０６は、返品実績に、返品実績に対する重み付け（図６）を掛け、顧客毎の返品実績ポイントを求める（Ｓ１５０４）。なお、本発明では、返品実績の重み付けはマイナスである。そのため、返品実績に重み付け施さない場合、返品実績の重み付けとして−１が設定される。また、以下の処理において、返品実績の代わりに、全返品実績に対する当該顧客の返品実績の比率を用いるとしても良い。
【００２９】
次に、顧客ランク付け処理部２０６は、販売実績ポイントと返品実績ポイントとを顧客毎に加算する。ここで、返品実績に対する重み付けは通常、負値であるのでこの加算の結果、販売実績ポイントから返品実績ポイントを割り引いた値が求められる。そして、この加算した値から、当該顧客が全顧客中の上位何％に含まれるかを算出し、在庫公開ランク管理マスタ（図７）から顧客の属する在庫公開ランクを決定する（Ｓ１５０５）。
【００３０】
＜在庫公開数判定処理部２１４の動作＞
次に、図１６及び図１７を参照して、図２に示される在庫公開数判定処理部２１４の動作について説明する。図１６及び図１７は、図２に示される在庫公開数判定処理部２１４の動作のフローチャートである。
【００３１】
在庫公開数判定処理部２１４は、まず、商品在庫（図９）から商品の在庫数を算出する（Ｓ１６０１）。次に、在庫公開数判定処理部２１４は、生産計画（図１０）から当日仕上がり予定数、入庫予定（図１１）から当日入庫予定数を取得し、両者を加算し、予定在庫数を求める（Ｓ１６０２）。なお、本発明では、後述のように、在庫数に予定在庫数を加えた数と実下限値とを比較しないのであれば（Ｓ１６０８）、この予定在庫数を算出し
なくてもよい。
【００３２】
次に、在庫公開数判定処理部２１４は、商品別顧客ランク別公開数管理マスタ（図１３）から顧客毎に公開する在庫数の上限値と下限値とを取得する（Ｓ１６０３）。次に、在庫公開数判定処理部２１４は、現在の季節（月）に基づいて上限値、下限値に季節重み付けマスタ（図１２）のパラメータを掛け、実際に公開する在庫の実上限値と実下限値とを算出する（Ｓ１６０４）。なお、本発明では、この上限値、下限値に季節重み付けマスタのパラメータを掛ける処理を省略することもできる。また、季節として、本実施形態では、月を分類の基準としたが、月以外にも、複数月や、四季や、日その他これらの組み合わせを任意に季節の分類の基準とすることができる。
【００３３】
次に、在庫公開数判定処理部２１４は、在庫数と実上限値とを比較する（Ｓ１６０５）。ここで、在庫数が実上限値以上である場合は、実上限値を表示する在庫数とする（Ｓ１６０６）。また、在庫公開数判定処理部２１４は、在庫数が、実上限値より少なく、実下限より多い場合は、在庫数をそのまま表示する（Ｓ１６０７）。また、在庫公開数判定処理部２１４は、実下限値が在庫数以上の場合は、予定在庫判定マスタ（図１４）に基づいて、予定在庫数が判定の対象であるのか否かを判定する（図１７、Ｓ１６０８）。
【００３４】
在庫公開数判定処理部２１４は、予定在庫数が判定処理の対象となっていないのであれば、在庫数を０とする（Ｓ１６０９）。また、在庫公開数判定処理部２１４は、予定在庫数が判定処理の対象となっていれば、予定在庫数と実下限値を比較する（Ｓ１６１０）。
【００３５】
次に、在庫公開数判定処理部２１４は、在庫数と予定在庫数との和が実下限値以上である場合は、在庫数をそのまま表示する（Ｓ１６１２）。また、在庫公開数判定処理部２１４は、在庫数と予定在庫数との和が実下限値未満である場合は、在庫数を０とする（Ｓ１６１１）。
【００３６】
以上のように、本実施形態の公開在庫数決定サーバは、顧客の販売実績と返品実績、及びそれぞれの要因の重み付けマスタより、顧客のポイントを計算する。そして、本実施形態では、顧客の獲得ポイントに応じて顧客の在庫公開ランクを設定する。
【００３７】
そして、本実施形態の公開在庫数決定サーバは、商品在庫ＤＢから在庫数を求める。そして、本実施形態では、生産計画ＤＢ及び入庫予定ＤＢより予定在庫数を算出する。そして、本実施形態では、公開在庫数決定サーバが、（１）顧客が在庫を照会する際に、在庫公開ランクに毎に設定された公開量の上限値及び下限値を取得し、（２）取得した上限値及び下限値に季節変動のパラメータをかけて実上限値及び実下限値を算出し、（３）実上限値及び実下限値と在庫数と予定在庫数の関係によって、当該顧客に公開する在庫数を決定する。
【００３８】
以上の処理により、本実施形態の公開在庫数決定サーバは、過去の販売実績及び返品実績とに基づいて顧客をランク付けし、顧客のランクとその時点の在庫数に応じて公開する在庫数を自動的に決定することができる。
【００３９】
また、本実施形態の公開在庫数決定サーバは、販売実績及び返品実績の少なくとも一方に対して重み付けを行うことにより、販売実績及び返品実績の少なくとも一方の重要度を変更することができる。
【００４０】
また、本実施形態の公開在庫数決定サーバは、季節毎に公開する在庫数の上限値及び下限値の少なくとも一方に重み付けを行うことにより、季節ごとに、公開する在庫数の上限値及び下限値の少なくとも一方を調整することができる。
【００４１】
（付記１）
物の販売実績及び返品実績の少なくとも一方に基づいて顧客の在庫公開ランクを決定するランク決定手段と、
前記顧客の在庫公開ランクと物の現実の在庫数である第１の在庫数とから顧客へ公開する物の在庫数である第２の在庫数を決定する公開在庫数決定手段とを備える公開在庫数決定サーバ。
【００４２】
（付記２）
前記ランク決定手段は、
前記販売実績及び前記返品実績の少なくともいずれか一方に重み付けを行う付記１記載の公開在庫数決定サーバ。
【００４３】
（付記３）
前記ランク決定手段は、
任意に設定された在庫公開ランクの数と、任意に設定された該在庫公開ランクに該当する顧客の範囲とに基づいて、前記在庫公開ランクを決定する付記１記載の公開在庫数決定サーバ。
【００４４】
（付記４）
前記公開在庫数決定手段は、
前記顧客の在庫公開ランクに基づいて、顧客に公開する在庫数の上限値及び下限値を取得し、
前記第１の在庫数が、前記顧客に公開する在庫数の上限値以上である場合は、該上限値を前記顧客に公開する第２の在庫数とし、
前記第１の在庫数が、前記顧客に公開する在庫数の上限値未満であり、かつ、前記顧客に公開する在庫数の下限値より多い場合は、前記第１の在庫数を前記第２の在庫数とし、
前記第１の在庫数が、前記顧客に公開する在庫数の下限値以下である場合は、予定在庫を処理対象とするか否かを判定し、
予定在庫を処理対象としない場合は、前記第２の在庫数を０とし、
予定在庫を処理対象とする場合は、
前記第１の在庫数に、物の入庫予定数と物の仕上がり予定数とを加え、該加えた数が、前記顧客に公開する在庫数の下限値以上であるか否かを判断し、
下限値以上である場合は、前記第１の在庫数を第２の在庫数とし、
下限値未満である場合は、前記第２の在庫数を０とする付記１記載の公開在庫数決定サーバ。
【００４５】
（付記５）
前記公開在庫数決定手段は、
前記顧客の在庫公開ランクと前記第１の在庫数とから決定された、顧客に公開する在庫数の上限値及び下限値の少なくとも一方に、季節に応じた重み付けを行う付記１記載の公開在庫数決定サーバ。
【００４６】
（付記６）
コンピュータを、
物の販売実績及び返品実績の少なくとも一方に基づいて顧客の在庫公開ランクを決定するランク決定手段、及び、
前記顧客の在庫公開ランクと物の現実の在庫数である第１の在庫数とから顧客へ公開する物の在庫数である第２の在庫数を決定する公開在庫数決定手段として機能させる公開在庫数決定プログラム。
【００４７】
（付記７）
前記ランク決定手段は、
前記販売実績及び前記返品実績の少なくともいずれか一方に重み付けを行う付記６記載の公開在庫数決定プログラム。
【００４８】
（付記８）
前記ランク決定手段は、
任意に設定された在庫公開ランクの数と、任意に設定された該在庫公開ランクに該当する顧客の範囲とに基づいて、前記在庫公開ランクを決定する付記６記載の公開在庫数決定プログラム。
【００４９】
（付記９）
前記公開在庫数決定手段は、
前記顧客の在庫公開ランクに基づいて、顧客に公開する在庫数の上限値及び下限値を取得し、
前記第１の在庫数が、前記顧客に公開する在庫数の上限値以上である場合は、該上限値を前記顧客に公開する第２の在庫数とし、
前記第１の在庫数が、前記顧客に公開する在庫数の上限値未満であり、かつ、前記顧客に公開する在庫数の下限値より多い場合は、前記第１の在庫数を前記第２の在庫数とし、
前記第１の在庫数が、前記顧客に公開する在庫数の下限値以下である場合は、予定在庫を処理対象とするか否かを判定し、
予定在庫を処理対象としない場合は、前記第２の在庫数を０とし、
予定在庫を処理対象とする場合は、
前記第１の在庫数に、物の入庫予定数と物の仕上がり予定数とを加え、該加えた数が、前記顧客に公開する在庫数の下限値以上であるか否かを判断し、
下限値以上である場合は、前記第１の在庫数を第２の在庫数とし、
下限値未満である場合は、前記第２の在庫数を０とする付記６記載の公開在庫数決定プログラム。
【００５０】
（付記１０）
前記公開在庫数決定手段は、
前記顧客の在庫公開ランクと前記第１の在庫数とから決定された、顧客に公開する在庫数の上限値及び下限値の少なくとも一方に、季節に応じた重み付けを行う付記６記載の公開在庫数決定プログラム。
【図面の簡単な説明】
【００５１】
【図１】本発明に係る公開在庫数決定サーバの一実施形態を用いた公開在庫数決定システムの概略図である。
【図２】図１に示される公開在庫数決定サーバの構成の概念図である。
【図３】図１に示される公開在庫数決定サーバが備えるデータベースに格納されるテーブルの概念図である。
【図４】図１に示される公開在庫数決定サーバが備えるデータベースに格納されるテーブルの概念図である。
【図５】図１に示される公開在庫数決定サーバが備えるデータベースに格納されるテーブルの概念図である。
【図６】図１に示される公開在庫数決定サーバが備えるデータベースに格納されるテーブルの概念図である。
【図７】図１に示される公開在庫数決定サーバが備えるデータベースに格納されるテーブルの概念図である。
【図８】図１に示される公開在庫数決定サーバが備えるデータベースに格納されるテーブルの概念図である。
【図９】図１に示される公開在庫数決定サーバが備えるデータベースに格納されるテーブルの概念図である。
【図１０】図１に示される公開在庫数決定サーバが備えるデータベースに格納されるテーブルの概念図である。
【図１１】図１に示される公開在庫数決定サーバが備えるデータベースに格納されるテーブルの概念図である。
【図１２】図１に示される公開在庫数決定サーバが備えるデータベースに格納されるテーブルの概念図である。
【図１３】図１に示される公開在庫数決定サーバが備えるデータベースに格納されるテーブルの概念図である。
【図１４】図１に示される公開在庫数決定サーバが備えるデータベースに格納されるテーブルの概念図である。
【図１５】図２に示される顧客ランク付け処理部の動作のフローチャートである。
【図１６】図２に示される在庫公開数判定処理部の動作のフローチャートである。
【図１７】図２に示される在庫公開数判定処理部の動作のフローチャートである。
【符号の説明】
【００５２】
１０１  クライアント
１０２  公開在庫数決定サーバ
１０３  ネットワーク
２０１  返品実績ＤＢ
２０２  販売実績ＤＢ
２０３  顧客マスタ
２０４  重み付けマスタ
２０５  在庫公開ランク管理マスタ
２０６  顧客ランク付け処理部
２０７  顧客毎在庫公開ランクマスタ
２０８  商品在庫ＤＢ
２０９  生産計画ＤＢ
２１０  入庫予定ＤＢ
２１１  季節重み付けマスタ
２１２  商品別顧客ランク別公開数管理マスタ
２１３  予定在庫判定マスタ
２１４  在庫公開数判定処理部
【図１】
2005316686.tif 000003
【図２】
2005316686.tif 000004
【図３】
2005316686.tif 000005
【図４】
2005316686.tif 000006
【図５】
2005316686.tif 000007
【図６】
2005316686.tif 000008
【図７】
2005316686.tif 000009
【図８】
2005316686.tif 000010
【図９】
2005316686.tif 000011
【図１０】
2005316686.tif 000012
【図１１】
2005316686.tif 000013
【図１２】
2005316686.tif 000014
【図１３】
2005316686.tif 000015
【図１４】
2005316686.tif 000016
【図１５】
2005316686.tif 000017
【図１６】
2005316686.tif 000018
【図１７】
2005316686.tif 000019